(57)【要約】【課題】画像形成処理システムの後処理装置に、電子タグを貼付する貼付手段を設けて、電子タグを貼付した印刷物を作成することにより、無線により書類管理をすることを可能にし、書類管理が容易に行える書類管理システムを確立する。更には、電子タグの位置を互いに異ならせることにより電子タグ同士がホストコンピュータからの交信時に相互干渉を起こすことなく、誤動作を起こさず書類管理を安定して正確に行えるようにする。【解決手段】入力信号により画像を形成する画像形成装置と、該画像形成装置で画像形成されて搬出される画像形成済みの記録用紙を受け取り、該記録用紙を加工して保管庫に保管することのできる冊子を排出する後処理装置とを有する画像形成処理システムにおいて、前記後処理装置が前記冊子毎に差別化情報を入力できる電子タグを前記冊子に貼付する貼付手段を有することを特徴とする画像形成処理システム。【選択図】図２
2008110849.tif 000002
【特許請求の範囲】
【請求項１】
入力信号により画像を形成する画像形成装置と、該画像形成装置で画像形成されて搬出される画像形成済みの記録用紙を受け取り、該記録用紙を加工して保管庫に保管することのできる冊子を排出する後処理装置とを有する画像形成処理システムにおいて、前記後処理装置が前記冊子毎に差別化情報を入力できる電子タグを前記冊子に貼付する貼付手段を有することを特徴とする画像形成処理システム。
【請求項２】
前記電子タグの貼付される位置が、冊子間ではお互いに重なり合わない位置にしてあることを特徴とする請求項１に記載の画像形成処理システム。
【請求項３】
入力信号により画像を形成する画像形成装置と、該画像形成装置で画像形成されて搬出される画像形成済みの記録用紙を受け取り、該記録用紙を加工して保管庫に保管することのできる冊子を排出する後処理装置とを有する画像形成処理システムにおいて、前記後処理装置が、前記冊子の中身である前記記録用紙の必要量を位置決めして積載するスタック手段と、冊子製本時の表紙となるカバーシートの給紙トレイと、該給紙トレイから前記中身の上にカバーシートを載置供給するカバーシート給紙手段と、前記冊子を綴じる中綴じ手段と、処理される前記記録用紙の冊子の所定位置に前記冊子毎に差別化情報を入力できる電子タグを貼付する貼付手段とを有することを特徴とする画像形成処理システム。
【請求項４】
前記カバーシートが電磁干渉抑制体シートであることを特徴とする請求項３に記載の画像形成処理システム。
【請求項５】
前記電子タグを貼付する指示の信号が入った場合に、自動的にカバーシートが送り出されるようにしたことを特徴とする請求項３又は４に記載の画像形成処理システム。
【発明の詳細な説明】
【技術分野】
【０００１】
本発明は画像形成装置で画像形成される記録用紙を後処理装置で加工して得られる冊子に電子タグによる情報を付与して作成される書類が、円滑に書類管理されて保管され、いつでも必要なときに必要な書類が容易に保管場所から引き出されるようにしたシステムで用いる書類の冊子を作製する画像形成処理システムに関する。
【背景技術】
【０００２】
これまで、オフィスの情報出力機として活躍してきたプリンタ、複写機の複写物も、その配布先において、それぞれ重要な情報ソースとして活用されてきている。ところが近年の過剰情報化時代においては、これらの情報が爆発的に増大し、個々の職場で管理しきれない状況が頻発し、書類の所在の調査或いは整理に膨大な時間を取られている。
【０００３】
一方、近年、物品等に付与されているタグ情報等を自動的に読み取って識別するためのシステムとして、旧来より知られるバーコード方式によるものがあり、一部書類整理等にも使われているが非接触とは言えごく近接して使用せねばならないので広いスペースでしかも高低差もある部屋に整理されている書類の膨大な束に対する検索に適用させることは困難な問題になっている。一方、バーコード形式とは異なり、より大量な情報を扱え、対環境性に優れ、しかも遠距離読み出しが可能なデータキャリアシステムと呼ばれる電子タグ或いはＩＣタグ、ＲＦ−ＩＤと呼ばれる無線による識別システムの開発が例えば特許文献１に示すように行われている。しかし十分とは言えない状況である。尚、本明細書では電子タグ或いはＩＣタグ、ＲＦ−ＩＤを電子タグの名称に統一して記述する。
【特許文献１】特表２００５−５０２９３９号公報
【発明の開示】
【発明が解決しようとする課題】
【０００４】
本発明は、この電子タグ識別システムが書類管理システムに活用出来ないかと言うことに着目するものであり、このシステムが物品等に取りつけられる電子タグと呼ばれる応答器と、ホスト側に接続される質問器とで構成され、これら応答器と質問器との間で、磁気、誘導電磁界、マイクロ波（電波）等の伝送媒体を介して非接触で交信を行うことができる点を用い、印刷物を出力する画像形成装置の後処理装置に、応答器として電子タグを貼付する画像形成処理システムを開発し、これを利用し電子タグを貼付した印刷物である書類の冊子（以後単に印刷物又は書類又は冊子又は文書ということがある）を作成することにより、無線により書類管理することを可能にし、書類管理が容易に行える書類管理システムを確立することを目的にするものである。更には、電子タグ同士がホストからの交信時に相互干渉を起こさないようにし、誤動作を起こすことなく書類管理が安定して正確に行われることを目的にするものである。
【課題を解決するための手段】
【０００５】
この目的は次の技術手段の何れかによって達成される。
１．入力信号により画像を形成する画像形成装置と、該画像形成装置で画像形成されて搬出される画像形成済みの記録用紙を受け取り、該記録用紙を加工して保管庫に保管することのできる冊子を排出する後処理装置とを有する画像形成処理システムにおいて、前記後処理装置が前記冊子毎に差別化情報を入力できる電子タグを前記冊子に貼付する貼付手段を有することを特徴とする画像形成処理システム。
２．前記電子タグの貼付される位置が、冊子間ではお互いに重なり合わない位置にしてあることを特徴とする１項に記載の画像形成処理システム。
３．入力信号により画像を形成する画像形成装置と、該画像形成装置で画像形成されて搬出される画像形成済みの記録用紙を受け取り、該記録用紙を加工して保管庫に保管することのできる冊子を排出する後処理装置とを有する画像形成処理システムにおいて、前記後処理装置が、前記冊子の中身である前記記録用紙の必要量を位置決めして積載するスタック手段と、冊子製本時の表紙となるカバーシートの給紙トレイと、該給紙トレイから前記中身の上にカバーシートを載置供給するカバーシート給紙手段と、前記冊子を綴じる中綴じ手段と、処理される前記記録用紙の冊子の所定位置に前記冊子毎に差別化情報を入力できる電子タグを貼付する貼付手段とを有することを特徴とする画像形成処理システム。
４．前記カバーシートが電磁干渉抑制体シートであることを特徴とする３項に記載の画像形成処理システム。
５．前記電子タグを貼付する指示の信号が入った場合に、自動的にカバーシートが送り出されるようにしたことを特徴とする３項又は４項に記載の画像形成処理システム。
【発明の効果】
【０００６】
画像形成処理システムの後処理装置に、応答器としての電子タグを貼付する貼付手段によって、電子タグを貼付した印刷物を作成することにより、無線により書類管理をすることが可能になり、書類管理が容易に行える書類管理システムを確立することができた。更には、電子タグの位置を互いに異ならせることにより電子タグ同士がホストコンピュータからの交信時に相互干渉を起こすこともなくなり、誤動作を起こさず書類管理が安定して正確に行えるようになった。
【発明を実施するための最良の形態】
【０００７】
本発明の画像形成処理システムを実施するための最良の形態について説明する。先ず、本発明に用いる画像形成済みの記録用紙が得られる画像形成装置Ｇと、それに接続して前記記録用紙を冊子等の纏まった文書にする後処理装置ＦＳと、更に該後処理装置ＦＳに前記文書の書誌的情報が書き込まれる電子タグを当該冊子の所定の場所に貼付する貼付装置と付加して構成される本発明の画像形成処理システムについて説明する。その後でそのような電子タグを装着した書類の管理構成について説明する。
【０００８】
まず、図１を用いて画像形成処理システム２００について詳述する。
【０００９】
画像形成処理システム２００は、画像読取部１、画像処理部２、画像形成部３、操作部４、カセット給紙部５、記録用紙Ｓを収納した大容量給紙部（ＬＣＴ）６、定着装置７、排紙部８、自動両面コピー給紙部（ＡＤＵ）９を有する画像形成装置Ｇと、後処理装置（フィニッシャ）ＦＳとを備えている。また、画像形成装置Ｇの上部を占めるのは、自動原稿送り装置ＡＤＦである。
【００１０】
自動原稿送り装置ＡＤＦの原稿台上に載置された原稿ｄは矢印方向に搬送され画像読取部（走査露光装置）１の光学系により原稿の片面又は両面の画像が読み取られ、ＣＣＤイメージセンサ１Ａに読み込まれる。
【００１１】
ＣＣＤイメージセンサ１Ａにより光電変換されたアナログ信号は、画像処理部２において、アナログ処理、Ａ／Ｄ変換、シェーディング補正、画像圧縮処理等を行った後、画像形成部３に信号を送る。
【００１２】
画像形成部３においては、静電潜像担持体としての感光体ドラム１０を帯電した後、半導体レーザからの出力光が感光体ドラム１０を照射し、感光体ドラム１０上に潜像を形成する。その後、現像剤の攪拌部材１２や現像剤を担持する現像剤担持体１３を有する現像器１１により現像処理が行われ、大容量給紙部６から搬送された記録媒体としての記録用紙Ｓに画像が転写される。転写後、感光体ドラム１０の残留トナーはブレード１８を装着した清掃部材１７によって清掃される。画像を担持した記録用紙Ｓは、定着装置７により定着され、排紙部８から記録用紙の後処理装置ＦＳに送り込まれる。或いは搬送路切り替え板８Ａにより自動両面コピー給紙部９に送り込まれた片面画像処理済みの記録用紙Ｓは再び画像形成部４において、両面画像形成後、排紙部８から記録用紙の後処理装置ＦＳに送り込まれる。
【００１３】
記録用紙の後処理装置ＦＳには、図示の上段から、カバーシート４５（表紙、裏表紙等に用いる）を収納したカバーシートの給紙トレイ４１、該カバーシート４５を一枚ずつ給紙するカバーシート給紙手段４０、スタック手段３０、ステープル手段５０、折り手段６０が、ほぼ垂直方向に縦列配置されている。また、折り手段６０近傍には、中綴じされた冊子の小口を断裁する断裁手段９０が配置されている。なお、本実施の形態では、記録用紙後処理装置ＦＳに断裁手段が備えられているが、冊子を排出後に、別途、汎用の断裁機を用いて冊子を断裁するようにしてもよい。
【００１４】
記録用紙の後処理装置ＦＳの図示右上方には入口搬送部７０が配置されている。また、記録用紙の後処理装置ＦＳの図示左側面には、後処理を行わず、プリントされた記録用紙をそのまま排出して積載するＪｏｂに対応した可動排紙皿８１と、中綴じ処理済みの製本冊子を積載する固定排紙皿８２とが配置されている。
【００１５】
図２は、記録用紙後処理装置ＦＳのやや詳細を示す概略断面図である。図２に基づいて、記録用紙後処理装置ＦＳの動作について詳述する。
【００１６】
記録用紙後処理装置ＦＳの受け入れ部７１は、排紙部８と合致するよう位置と高さを調節して設置されている。
【００１７】
排紙部８から排出された画像形成済みの記録用紙Ｓは、受け入れ部７１に導入され、入口部ローラ対７２により搬送された後、搬送ローラ対７８に挟持されて、第１の切り替えゲートＧ１に到達する。ソレノイドＳＤ１をオフ状態のまま維持することで、記録用紙Ｓは切り替えゲートＧ１の上方の通路２１を通過して、搬送ローラ対２２に挟持され、通路２３を経て、搬送ローラ対（シフトローラ対）２４に挟持され、通路２５を経て、排出ローラ対２６（上ローラ２６Ａ、下ローラ２６Ｂ）により機外の可動排紙皿８１上に排出、載置される。２７は上ローラ２６Ａを下ローラに対して圧接、離間可能に揺動させる揺動手段である。
【００１８】
この可動排紙皿８１には最大約３０００枚（Ａ４，Ｂ５）の記録用紙を収容することが可能である。
【００１９】
さて、第１の切り替えゲートＧ１のソレノイドＳＤ１をオンの状態にすると、スタック手段３０が作動を開始する。即ち、切り替えゲートＧ１は反時計方向に回転し、通路２３を閉止して、通路３３を開放状態にすることができる。この状態で記録用紙Ｓは下方の通路３１を通過して、下流の搬送ローラ対３２により挟持、搬送される。記録用紙Ｓは、更に下流の搬送ローラ対３４（駆動ローラ３４Ａ，従動ローラ３４Ｂ）により挟持されて送り出されて、傾斜配置された中間スタッカ３５の上方空間に放出され、中間スタッカ３５または中間スタッカ３５上に積載された記録用紙Ｓの上面に接し、滑走上昇したのち、搬送ローラ対３４から記録用紙Ｓの後端が排出されたのちには、記録用紙Ｓの自重により下降に転じ、中間スタッカ３５の傾斜面上を滑落し、ステープル手段５０近傍の可動ストッパ部材５３が進退して通路５２を遮断する。
【００２０】
可動ストッパ部材５３は、通路と平行に移動可能に構成されており、記録用紙Ｓのサイズ（搬送方向の長さ）に応じて所定位置に移動して停止する。
【００２１】
３６は中間スタッカ３５の両側面に移動可能に設けた一対の幅整合部材である。幅整合部材３６は記録用紙搬送方向と直交する方向に移動可能であり、記録用紙Ｓが中間スタッカ３５上に放出される記録用紙受け入れ時には、記録用紙幅より広く開放され、中間スタッカ３５上を滑落して可動ストッパ部材５３に当接して停止するときには、記録用紙Ｓの幅方向の側縁を軽打して記録用紙束の幅揃え（幅整合）を行う。
【００２２】
また、カバーシート給紙手段４０は、給紙トレイ４１、可動底板４２、押し上げレバー４３とから成るカバーシート載置部４７と、ピックアップローラ４４、フィードローラ４５Ｒ、捌きローラ４６等から構成されている。
【００２３】
このカバーシート給紙手段４０に装填されたカバーシート４５を差込む場合は、予め指定された差込位置に挿入することができるタイミングで差込記録用紙の給紙を開始する。
【００２４】
カバーシート給紙手段４０から給紙されたカバーシート４５は、通路４８を通過して、搬送ローラ対７４の駆動ローラ７４Ａと従動ローラ７４Ｂとのニップ位置を通過し、搬送ローラ対７８に挟持される。ここで、第１の切り替えゲートＧ１のソレノイドＳＤ１をオンの状態にすると、切り替えゲートＧ１は反時計方向に回転し、通路２３を閉止して、通路３３を開放状態にし、カバーシート４５は搬送ローラ対３２、通路３３、搬送ローラ対３４を経て、中間スタッカ３５上に到達する。
【００２５】
中間スタッカ３５にはカバーシートを最下層に載置させ、その上に順次記録用紙を重ねて行くこともできるし、逆に最上層にカバーシート４５を載置させることも勿論可能である。また、カバーシートの代わりに必要ならば差し込み紙を、積載される記録用紙の中間に挿入させることも可能である。また、カバーシート４５の積載を省いて記録用紙だけを積載することも可能である。
【００２６】
最終の記録用紙Ｓ及びカバーシート４５が中間スタッカ３５上に位置決め載置されると、記録用紙Ｓの全頁とカバーシートから成る記録用紙束にステープラ５０による中綴じ処理を行う。この中綴じ処理により、記録用紙束の搬送方向の中央部にステープル針が打ち込まれるか、又は、中央部を折らずにこのまま冊子にする場合には、搬送方向側部又は先端部乃至後端部にステープル針が打ち込まれる。
【００２７】
中綴じ処理後、可動ストッパ部材５３が揺動して、通路５２の下流の通路を開放する。中綴じ処理された記録用紙束は、搬送ローラ対６１に挟持され、斜め下方の搬送ベルト６２上をガイド板６３に案内されて搬送され、更に、ガイド板６４上を滑落して、可動ストッパ部材６５に記録用紙束の先端部が当接して、所定位置に停止する。可動ストッパ部材６５は記録用紙サイズの設定又は検知と駆動手段により所定位置に移動可能である。
【００２８】
この位置又はそれより上流側の位置に停止中の記録用紙束に対して次の折りを開始する前にカバーシート４５に対して電子タグ１３５が貼られる。
【００２９】
電子タグ１３５は図４（ａ）に示すように、積載されている枚葉のものを１枚ずつ供給して接着剤を塗布しながらカバーシート４５に貼付するタイプのものと、図４（ｂ）、（ｃ）に示すように、長尺の離型性テープ上にタック紙タイプの電子タグ１３５が等間隔に並べて貼られてあるものを、剥離しながらカバーシート４５に移して貼付するタイプのものがある。
【００３０】
（１）先ず、前者のタイプの電子タグ１３５を用いたものについて、図２及び図３（ａ）、（ｂ）、（ｃ）を用いて説明する。
【００３１】
図３（ａ）、（ｂ）、（ｃ）に示すように、カバーシート４５に貼付される電子タグ１３５はマニュピレータ１１０の吸盤１１４が電子タグ１３５の集積トレイ１１６の最上部から１枚ずつピックアップし糊壺１１７から電子タグへの適量の糊の供給を受けた後、吸盤の位置を移動し、ガイド板６４上にある記録用紙束のカバーシート４５の所定の場所に貼付される。マニュピレータ１１０の基幹腕１１１は、昇降機構によって保持ポール１１０Ａ上を上下方向（ｚ方向）に移動（昇降）可能にしてあると共に該保持ポール１１０Ａの周りに任意の角度θの旋回を可能にしてある。基幹腕１１１には、ラック１１８とピニオン１１９を介して２段階に伸縮する腕１１２、１１３がスライド可能に取りつけられ、腕１１３には吸盤１１４が設けられている。そして吸盤１１４のポール１１０Ａからの距離Ｒは前記腕１１２、１１３の伸縮量によって決まり、この角度θと距離Ｒとによって極座標による水平位置と上下位置Ｚをプログラムしながら電子タグ１３５の貼付位置を設定している。
【００３２】
これによってカバーシート４５上で任意に決められる所定箇所に電子タグ１３５の接着を可能にしている。各書類冊子の電子タグ１３５の貼付位置が同一箇所になっていると、誤動作が起こり、アイデンティヒケーションが崩れやすくなる可能性があるので位置をずらして貼付することが好ましい。そのため前記所定箇所を任意に設定可能にして適正位置への貼付を行っている。また、カバーシート４５の材質を電磁干渉抑制体で構成することによって混信、誤動作を排除することも可能である。
【００３３】
尚、吸盤１１４は電子タグ面やカバーシート４５の面に一様に接触するように首振り機構が設けられていて、吸着や接着が安全確実に行われるようにしてある。
【００３４】
以上のようにして電子タグ１３５を貼付することが可能である。
【００３５】
（２）次に後者のタイプについて説明する。電子タグ１３５の貼付はこのような前者のタイプの手段に限定されるものではなく、長尺の可撓性シートである図４（ｂ）、（ｃ）の模式図に示すような離型性テープ１３５Ｂ上に電子タグ１３５が貼り付けられたタック紙タイプのものから電子タグ１３５をはぎ取りカバーシート４５上の所定位置に順次貼付する方法も可能である。この電子タグ１３５は離型紙である基材の上に電子タグ回路素子が保護シートによって封じ込められ接着されて形成されたものであり、この基材の面が長尺の離型性テープ１３５Ｂに連続的に剥がし易く貼り付けられたものである。
【００３６】
このような電子タグ１３５を使用した装置も本発明の画像形成処理システムの後処理装置に組みこまれているので図２及びその部分拡大図である図５及び部分側面図である図６を用いて説明する。
【００３７】
長尺の離型性テープ１３５Ｂ上にタック紙タイプの電子タグ１３５が貼られた長尺元巻きリール１３１より繰り出されて押圧ローラ１３２Ａ，１３２Ｂを介して、駆動ローラ１３３、ガイドローラ１３４に巻回された無端ベルト１３６上を搬送される。そしてガイドローラ１３４の位置で曲率分離が確実になされるように設けられた分離爪の役割もする剥離台１３７上にタック紙タイプの電子タグ１３５が剥がされて載置される。以後下流側では電子タグ剥離後の離型性テープ１３５Ｂは巻き取りリール１３８に巻き取られて回収される。
【００３８】
剥離台１３７上に置かれたタック紙タイプの電子タグ１３５は吸盤１４１で吸着される。吸盤１４１を取り付け減圧されたパイプ１４２は、ガイドスリーブ１４６Ａ上を一旦上昇して冊子のカバーシート４５に対して前後左右の予め選定された所定位置に降下して貼付を完了する。上昇は、パイプ１４２に取り付けたピン１４３にカム１４５を接触させて、付勢バネ１４６Ｓに抗して、ステッピングモータ１４５Ｍでカム１４５を駆動して行う。カバーシート４５への電子タグ１３５の貼り付け時や、剥離台１３７上の電子タグ１３５の吸着時の下降は、ステッピングモータ１４５Ｍの回転により、ピン１４３とカム１４５の接触が離れ、付勢バネ１４６Ｓ及び吸盤１４１を取り付けたパイプ１４２の自重が作用することによって行われる。貼り付けが完了したら減圧を解除して吸盤を上昇させ、ホームポジションに戻した上再び下降して、次に剥離して剥離台１３７上に待機している電子タグ１３５の吸着にかかる。
【００３９】
以下にこの点についての構成と動作についてやや詳細に説明する。
【００４０】
パイプ１４２をスライド可能に内蔵したスリーブ１４６Ａはブロック１４６Ｂに取り付けられ、該ブロック１４６Ｂはカバーシート４５の進行方向に直角な方向にスライド可能にしてガイドレール１４７に嵌め込まれ、該ガイドレール１４７はカバーシートの進行方向に平行な斜行レール１４９上をスライド可能にしてある。
【００４１】
そして前記ブロック１４６Ｂの中心部にはスクリュー１４８に嵌合するネジが切られている。また該スクリュー１４８の端部にはステッピングモータ１４８Ｍが直結されている。
【００４２】
また、ガイドレール１４７の両端部には、ワイヤ結節ピン１５１が設けられ、それを締結したワイヤ１５２は、ガイドローラ１５３並びに、ステッピングモータ１５４Ｍに直結した駆動ローラ１５４に無端状に巻回されている。このようにしてガイドレール１４７はステッピングモータ１５４Ｍによって斜行レール１４９上をスライドして移動可能にしてある。
【００４３】
即ち、ブロック１４６Ｂはガイドレール１４７上を幅方向（Ｘ方向）に、且つガイドレール１４７を介して該斜行レール１４９上を冊子の搬送方向（Ｙ方向）に移動可能にしてある。
【００４４】
このようにして、前記ブロック１４６Ｂのスリーブ１４６Ａ、それをスライドするパイプ１４２の先端部に取り付けられた吸盤１４１の位置をカバーシート４５の任意に所望の所定位置に選定して電子タグ１３５を貼り付けることが可能になる。
【００４５】
電子タグ１３５を吸着するＸＹ方向のホームポジション位置から、貼り付けする所定のＸＹ位置に移行するときに、ブロック１４６Ｂがパイプ１４６Ａと共に、前記スクリュー１４８の回転とワイヤ１５２の駆動により、前述のように所定のＸＹ位置に移動する。
【００４６】
一方電子タグ１３５の貼り付けを終わり、吸盤が上昇してブロック１４８Ｂが所定の位置からホームポジションに戻されて、その状態で吸盤が下降して吸着位置に移行する。
【００４７】
このようなテープ上に貼付されたタック紙タイプの電子タグを文書に貼り付ける場合は、図４（ｂ）、（ｃ）に示すように、保護シートで、電子タグ表面を保護することが可能であり、また連続して高速貼付も可能であり、高速機に使用する場合は特に好ましい構成である。連続型のテープの構成は、基材である離型紙に電子タグ回路素子が設置され、その上に保護シートを覆う構成である。タック紙タイプの電子タグは、１個ごとに剥がされる方式のものが自動貼付を行うのに適している。また、切り取り用のミシン線の入ったものは、メンテナンス時の交換貼付に適している。
【００４８】
電子タグの貼付されたテープを装置内で巻いて保管する構成の場合は、何重にもまかれたテープ表面からの押圧による電子タグの破損防止のため、基材テープが弾性体であることが好ましい。また、貼付後の電子タグ保護のためには、タック紙の変わりに弾性のシールを用いると好ましい。弾性体を使用することで書類を重ねても、破損の危険性が抑制される。
【００４９】
また、電子タグ１３５の貼付はカバーシート４５の表面に限らず、裏面に対して行うことも可能であり、また、カバーシート４５に限らず記録用紙上であっても差し支え無い。但し、貼付場所はカバーシート４５に貼付する位置とは別位置になることがある。
【００５０】
さらに、電子タグを文書に貼付せず、カバーシート内に電子タグを具備し、文書ごとにカバーシートを差し込む構成であっても良い。この場合、電子タグの設置位置を、カバーシート毎にずらした位置にしてストックしておいてもよい。この場合のデータの書き込みをする書き込み部１６５の位置は、カバーシートの排出部であってもよく、また、中間スタッカにカバーシートをセットする前の位置であっても良い。
【００５１】
このときの電子タグは、電源を有するアクティブ型の電子タグでもパッシブ型の電子タグでも良い。ただし、カバーシートである場合は、アクティブ型の電子タグが長距離との情報の通信が可能なため、好ましい。この場合、カバーシート内にアンテナ６００を有することにより、より長距離への情報の転送が可能となるため好ましい。
【００５２】
このような電子タグの貼り付けは上記（１）、（２）の何れかの手段を設置することによって行うことができる。
【００５３】
さて、ステープルが記録用紙Ｓ又はカバーシート４５の先端部又は後端部又は側部に打ち込まれこのままで冊子を形成するようにした場合は、この状態で電子タグを貼付させた後、排紙皿８２上に搬送して排出される。しかし、中央部にステープルが打たれている場合は次の折り工程に進む。
【００５４】
停止状態の記録用紙束の搬送方向の中央部、即ち中綴じ位置の斜め下方には、突き出しユニット６６が設置されている。中綴じ位置の斜め上方には、折りローラ対部６７と、二つ折り記録用紙搬送手段６８が設置されている。図示の斜め上方に直進して突出した突き出し板６６１の先端部は、記録用紙束の中央部を押し上げ、記録用紙束を介して折りローラ対部６７のニップ部を押し広げて揺動、離間させる。
【００５５】
突き出し板６６１の先端部が前記ニップ部を通過後、突き出し板６６１が後退して記録用紙束の中央部は、折りローラ対部６７により挟圧されて、折り目が形成される。この折り目は、前述の中綴じ処理による記録用紙束へのステープル針の打ち込み位置とほぼ一致する。
【００５６】
折り目を形成された記録用紙束の中央部は、搬送ベルト６７Ａ，６７Ｂに挟持されて搬送され、折り目が更にしっかりされ、二つ折り記録用紙搬送手段６８に送り込まれる。
【００５７】
二つ折り記録用紙搬送手段６８は、記録用紙束を挟圧して搬送する下搬送ベルト６８Ａと上搬送ベルト６８Ｂとから構成され、二つ折り記録用紙搬送手段６８に送り込まれた記録用紙束は、下搬送ベルト６８Ａと上搬送ベルト６８Ｂとの間に挟持されて搬送される。その後、断裁手段９０によって記録用紙束の小口が断裁された後、搬送ローラ６９に挟持されて機外の固定排紙皿８２上に排出される。
【００５８】
電子タグへの情報書き込み位置は、先に述べたカバーシート４５内に電子タグを配置した場合のほか、一般に貼付する電子タグの貼付前に電子タグを一つごとに保持された状態の場所で書き込み機１６５を通過したときに書き込む。また前記離型テープ１３５Ｂに電子タグが保持されている場合は、電子タグを離型性テープで送り出すときの送り出し位置で行うと良い。
【００５９】
さて、このようにして画像形成されて、それが報告書等の冊子となって画像形成処理システム２００によって電子タグ１３５を貼付されながら作成されて行くとき、展開される書類の保管、整理、活用の関係について述べる。
【００６０】
電子タグ１３５が貼付されると共に、該電子タグ１３５に、パソコン２３０又は画像形成装置の操作部４から対応する書誌的データ及び要約等が予め設定されたフォーマットに基づいて入力されて、それらの情報が書き込まれ、一連番号が人に読める形で電子タグにも付されて登録される。それと共に、上記データはホストコンピュータ又はサーバー上に保存される。
【００６１】
このような電子タグ１３５を貼付して書類管理の対象にするかしないか及び貼り付け位置は、冊子作成を予定してプリンタで印刷を開始する直前までに前述のフォーマットに基づいて入力されるが、そのフォーマットは具体的には図１１に示すようなものであり、これに操作部４から電子タグ貼付条件設定画面に基づいて必要事項が入力される。また、図１２に示すように、同じく操作部４から内容設定画面に基づいて必要事項が入力される。このような設定情報はパソコン２３０上からも入力することも出来る。
【００６２】
一方、条件設定画面で貼付が決定入力されると、パソコン情報から関連付けられる作成日時、作成者情報、一連番号は自動的に電子タグ１３５に記録される。
【００６３】
その上で図７及び図１０に示すように、作成された冊子は登録文書として保管庫（書棚）２４０の所定のブース２４２の位置に所定のバインダ２４３に、近い分野の内容のものが集められてファイルされた状態で並べられて行く。また、保管庫（書棚）２４０のブース２４２も近い分野別に設けられている。即ち、分野別のバインダグループ同士が同じブース２４２を占めるように配列した保管庫（書棚）２４０が設けられている。
【００６４】
一方、保管庫（書棚）２４０に収納されている多くの文書の中から閲覧したい文書を探し出したいときは、該当する文書の書誌的内容又はそれに近い適当なパスワードを、読み出し用のパソコン２５０に入力することにより、該パソコンに設けられている送信手段２５５から超高周波の電波が送信され、入力されたデータはその送信電波に乗って保管庫（書棚）２４０の各ブース２４２に置かれたバインダ２４３に取りつけられた電子タグ５００（アクティブタイプ）に届き、該当するバインダ２４３の電子タグ５００がキャッチされると共に返信がなされ、パソコン２５０に内蔵された受信器にて受信されると共に、パソコン２５０上に該当するバインダ２４３の保管場所が表示される。
【００６５】
この状態を全体構成図を表す図７とシステム構成のブロック図を表す図１０に示した。
【００６６】
次に、電子タグを用いた好ましい文書保管システムは、以下の通りである。
Ａ．システム１
（１）  電子タグ１３５を添付した書類を保管する保管具を有する。
（２）  該保管具は書類および／または検索システムとデータの送受信可能な機能を有する。
（３）  電子タグの位置を保管具または電子タグからの信号をもとに検索する検索システムを有する。
（４）  検出システムが検出したデータを利用してファイルを管理する管理システムを有する。
Ｂ．システム２
（１）  電子タグを添付した書類を保管する保管庫を有する。
（２）  保管庫の入り口に設置され、入出力する書類を管理するリーダーライタを有する。
（３）  リーダーライタの情報を管理するコンピュータを有する。
【００６７】
システム１では本発明の電子タグ１３５を添付した書類を図に示した送受信器を有する保管具に綴じると、保管具に設置された送信器より、綴じられた保管具と関連付けられた文書情報を発信するか、あるいは必要な検索時にアンテナシステム６００からの呼びかけに応じて出力する。アンテナシステム６００により検出した情報から、ファイルの有無、ファイルの位置を特定する管理システムからなる。
【００６８】
システム２では保管庫２４０の入り口に設置されたリーダーライタにより、通過する書類を検知し、保管庫２４０に保管しているもの、持ち出すものを管理する。保管庫の単位は部屋ごとであっても、棚ごとあるいは書類を綴じるバインダごとであてもよい。
【００６９】
更に詳細に管理システムについて説明する。
【００７０】
電子タグには、一般に電源を有し、出力範囲の比較的広いアクティブタイプの電子タグ（例えば前記バインダ２４３の背表紙につけた電子タグ５００）と、サイズが小さく、設置が目立たないものの、外部からのエネルギーを受けて電波を出力する、電波出力範囲が狭いパッシブタイプの電子タグ（例えば前記冊子に貼付する電子タグ１３５）がある。
【００７１】
本発明の様に、紙の様な薄い対象物である書類に電子タグを添付する場合は、重量の重いアクティブタイプの電子タグよりはパッシブタイプの電子タグの方が文書保管的には好ましい。しかしながら、その電波出力範囲が狭いため、文書をリーダーライタに近接する必要があり、使用者がリーダーライターに登録し忘れると文書管理ができなくなる危険性もあり、システム１のように、保管文書を遠隔的に監視検出可能なシステムは好ましい。
【００７２】
そこで、このシステムは、文書と保管具の情報のやり取りを介することにより、出力範囲の狭さを補完する構成を好ましい形態として提示する。電子タグ１３５つき文書は、バインダに綴じる為に、留め金をあけることにより、内蔵されたスイッチが動作し、保管具に具備した検出器により文書の情報を検出し、検出された情報を保管具内に具備されたメモリーに記憶する。記憶した情報は、定期的に巡回する検索システムを通じ、位置および文書情報を保管室全体を管理する管理システムに登録し、どの文書がどこにあるかを管理する。
【００７３】
保管室の大きさは、１ｍ2程度の小部屋から１０００ｍ2以上の大部屋まで可能である。広さに応じて、保管具の出力を大きく事も可能であるし、室内に、信号検出用のアンテナ６００を多数設置し、各アンテナの管理範囲を特定して管理することにより、広範囲の保管室を比較的微弱な電波しか発しない電子タグを用いてもよい。
【００７４】
また、別のシステムとしては、入り口に電子タグのデータを読み取るリーダーおよび入出庫の日時を電子タグに記憶するライター装置を有し、通過する書類の入出庫を管理する管理システムであってもよい。
【００７５】
これらの両システムにおいて、入庫は書類数枚であっても、出庫の時にはファイル単位で持ち出されることが多く、書類間の干渉が発生しやすい。干渉が発生すると、特定の文書情報を検出漏れや、データが重なって誤読み取りを生じてしまう。これらに対し、近接した電子タグ１３５の位置を、離間させるため電磁波シートを設置することにより、実際の位置は近接しているものの、回り込みによる離間効果により、電子タグ間の距離を離すことが可能となり、相互干渉が抑制される。
【００７６】
このとき、バインダ２４３に具備されたアクティブタイプの電子タグ５００の位置としては背表紙、表紙、裏表紙が挙げられる。この中で、図８の斜視図に示すように、背表紙に電子タグ５００が貼付されたバインダ２４３内の各冊子に貼付された電子タグ（図では１３５ａ〜１３５ｅ）の互いにずらした配置は、隣り合う電子タグ同士が相互干渉が起きないため好ましい配置である。具体的な構成としては、図９の信号の送受信のモデル図に示すように、バインダの背表紙に配置されたアクティブ型電子タグ５００及びバインダ内の書類冊子に添付されたパッシブ型電子タグ１３５ａ〜１３５ｅの間は、アクティブ型電子タグ５００が情報を又はエネルギーを送信する手段５０２を有し、パッシブ型電子タグ１３５ａ〜１３５ｅがその情報を受信する受信手段５０３Ａ及び送り返して送信する送信手段５０３Ｂを有する。また、アクティブ型電子タグ５００はパッシブ型の情報を受信する受信手段５０４、及びリーダーライタからの情報受信手段５０５Ａと電子タグ１３５ａ〜１３５ｅのデータをリーダーライタに送信する送信手段５０５Ｂを有する。
【００７７】
このとき、バインダの止め具の開放動作を検出して、アクティブ型電子タグが情報入手のための動作を開始し、パッシブ型電子タグの情報を取り出しを行う制御を行うことで、情報の書き込み欠如を防止できるので好ましい。また、電波のアンテナ６００として綴じ具部分を利用してもよい。
【００７８】
このときのパッシブ型電子タグは、アクティブ型電子タグから電波により電源エネルギーを受ける手段（レクテナ回路）と、情報を格納する手段（半導体チップ）と、文書情報を電波によりアクティブ型電子タグに送信する手段とを有している。
【００７９】
また、保管庫（書棚）２４０への冊子の並べ方は一連番号順（固有番号順）としても良い。この場合もパスワードの入力に基づき、該当する幾つかの候補冊子が保管庫２４０上に存在することが、その一連番号と共にパソコン上に表示されるので容易に現物を引き出すことが出来る。ブース２４２やバインダ２４３の位置をそれほど気にしないで良いといえる。しかし、並べ方はどちらの形を採っても良い。
【００８０】
本発明の画像形成処理システムにおける、電子タグ添付装置に付随する好ましい使用資材、使用システム、使用方法は以下の通りである。
電子タグ付シート
（１）  可撓性シートの長尺離型性テープ１３５Ｂと、該シート上に剥離容易に接着された基材ラベルとを有する複合体であって、該基材ラベルには保護シートとの間に電子情報記憶可能な電子回路素子部材が封じ込まれて電子タグを形成することを特徴とする複合体。
（２）  前記可撓性シートが弾性体であることを特徴とする（１）項に記載の複合体。
（３）  前記可撓性シートが導電性処理されていることを特徴とする（１）又は（２）項の複合体。
（４）  前記基材ラベルが、複数のラベルが切断容易に処理をされた状態で連続して存在していることを特徴とする（１）〜（３）項の何れかの複合体。
（５）  前記基材ラベルが隣接するラベル間で離間して存在していることを特徴とする（１）〜（４）項の何れかの複合体。
文書管理システム
（６）  電子タグを具備する書類（文書）と、該書類（文書）を複数収容する保管具と、該保管具と通信可能な通信機と、該通信機の情報をもとに、書類（文書）の管理を行う文書管理システムにおいて、前記保管具は書類（文書）と保管具の間で情報の送受信可能な通信機能を有することを特徴とする（書類）文書管理システム。
（７）  電子タグを具備する書類（文書）を保管する保管庫と、保管庫の入り口に設置され、入出力する書類を管理するリーダーライタ、及びリーダーライタの情報を管理するコンピュータからなる文書管理システム。
電子タグつき文書保管用バインダ。
（８）  電子タグを具備する文書を保管する保管具であって、文書に具備された電子タグと、バインダーに具備された電子タグの間で情報の送受信を行う機能を有することを特徴とする電子タグつき文書保管用バインダ。
（９）  前記バインダに具備された留め具を開放したことを検出して、バインダに具備された電子タグが情報入手のための動作を開始し、文書に具備された電子タグの情報を取り出すことを特徴とする（８）項に記載の文書管理バインダ。
（１０）  前記バインダに具備された電子タグがアクティブ型電子タグであることを特徴とする（８）又は（９）項に記載のバインダ。
文書に添付される電子タグ
（１１）  文書に添付された電子タグであって、文書情報に関連した情報を具備することを特徴とする電子タグ。
（１２）  前記文書に関連した情報が、文書の作成日時、作成者情報又は一連番号であることを特徴とする（１１）項に記載の電子タグ。
文書カバーシート
（１３）  文書に付随して保管される文書カバーシート４５に於いて、該カバーシート４５が電子タグを具備することを特徴とする文書カバーシート。
（１４）  前記カバーシート内に情報又はエネルギーの送受信に使用するアンテナを有することを特徴とする（１３）項に記載の文書カバーシート。
【図面の簡単な説明】
【００８１】
【図１】本発明の画像形成処理システムの一例を示す概略構成図である。
【図２】本発明の画像形成処理システムにおける後処理装置に電子タグ貼付装置を装着した状態を示す概略正面図である。
【図３】本発明に用いる電子タグ貼付装置の一例の（ａ）は正面図、（ｂ）は上面図、（ｃ）は側面図である。
【図４】本発明に用いる電子タグの模式図である。
【図５】図２の部分拡大図である。
【図６】図５の部分側面図である。
【図７】本発明の画像形成処理システムによって作成される冊子である文書の収納及び検索のシステムを示す全体構成図である。
【図８】バインダと電子タグの貼付位置を示す斜視図である。
【図９】電子タグ間の信号の送受信を示すモデル図である。
【図１０】本発明の画像形成処理システムによって作成される冊子である文書の収納及び検索のシステムを示すシステム構成のブロック図である。
【図１１】操作面に表示される電子タグ貼付条件内容設定画面の一例を示す図面である。
【図１２】操作面に表示される内容設定画面の一例を示す図面である。
【符号の説明】
【００８２】
１  画像読取部
２  画像処理部
３  画像形成部
４  操作部
５カセット給紙部
７  定着器
８  排紙部
１０  感光体ドラム
１１  現像器
３０  スタック手段
４０  カバーシート
４１  カバーシートトレイ
４５  カバーシート
５０  ステープル手段
６０  折り手段
１１０  マニュピレータ
１１０Ａ  保持ポール
１１１  基幹腕
１１２，１１３  腕
１１４，１４１吸盤
１１６  集積トレイ
１１７  糊壺
１３５  電子タグ（パッシブタイプ）
１３７  剥離台
１４２  パイプ
１４３  ピン
１４５  カム
１４５Ｍ，１４８Ｍ，１５４Ｍ  ステッピングモータ
１４６Ａ  スリーブ
１４６Ｂ  ブロック
１４６Ｓ  付勢バネ
１４７  ガイドレール
１４９  斜行レール
１５２  ワイヤ
１６５  データ書き込み部
２００  画像形成処理システム
２３０，２５０  パソコン
２４０  書棚（収納庫）
２４２  ブース
２４３  バインダ
５００  電子タグ（アクティブタイプ）
Ｇ  画像形成装置
ＦＳ  後処理装置
Ｓ  記録用紙
【図１】
2008110849.tif 000003
【図２】
2008110849.tif 000004
【図３】
2008110849.tif 000005
【図４】
2008110849.tif 000006
【図５】
2008110849.tif 000007
【図６】
2008110849.tif 000008
【図７】
2008110849.tif 000009
【図８】
2008110849.tif 000010
【図９】
2008110849.tif 000011
【図１０】
2008110849.tif 000012
【図１１】
2008110849.tif 000013
【図１２】
2008110849.tif 000014